(57)【要約】【課題】料金所近傍を走行中に自車位置表示が不自然になることを防止することができるナビゲーション装置を提供すること。【解決手段】ナビゲーション装置は、自車位置を検出する車両位置検出部５、車両位置計算部２０と、自車両が走行中の道路のレーン数を検出するカメラ８、レーン数特定部２２と、車両位置計算部２０によって算出される自車位置が料金所を含む所定範囲内にあるときに、レーン数特定部２２によって特定されるレーン数に基づいて、自車位置を地図データの道路リンク上に位置合わせするマップマッチングの有効／無効を設定するマップマッチング設定部２４とを備えている。【選択図】図１
2019045406.tif 000002
【特許請求の範囲】
【請求項１】
自車位置を検出する車両位置検出手段と、
自車両が走行中の道路の区画線を検出する区画線検出手段と、
前記車両位置検出手段によって検出された自車位置が料金所を含む所定範囲内にあるときに、前記区画線検出手段による前記区画線の検出有無に基づいて、自車位置を地図データの道路リンク上に位置合わせするマップマッチングの有効／無効を設定するマップマッチング設定手段と、
を備えることを特徴とするナビゲーション装置。
【請求項２】
前記マップマッチング設定手段は、自車両が前記料金所に向かって走行中に前記所定範囲に進入した後であって、前記区画線検出手段によって前記区画線が検出できないときに、前記マップマッチングの有効／無効の設定を有効から無効に切り替えることを特徴とする請求項１に記載のナビゲーション装置。
【請求項３】
前記マップマッチング設定手段は、自車両が前記料金所から離れる向きに走行中に前記所定範囲から離脱した後であって、前記区画線検出手段によって前記区画線が検出できたときに、前記マップマッチングの有効／無効の設定を無効から有効に切り替えることを特徴とする請求項１または２に記載のナビゲーション装置。
【請求項４】
自車位置を検出する車両位置検出手段と、
自車両が走行中の道路のレーン数を検出するレーン数検出手段と、
前記車両位置検出手段によって検出された自車位置が料金所を含む所定範囲内にあるときに、前記レーン数検出手段によって検出されたレーン数に基づいて、自車位置を地図データの道路リンク上に位置合わせするマップマッチングの有効／無効を設定するマップマッチング設定手段と、
を備えることを特徴とするナビゲーション装置。
【請求項５】
前記レーン数検出手段は、自車両に搭載されて自車両周辺を撮像する撮像手段と、前記撮像手段による撮像によって得られた画像に含まれる区画線を抽出して前記レーン数を特定するレーン数特定手段とを有することを特徴とする請求項４に記載のナビゲーション装置。
【請求項６】
前記地図データには、自車両が走行する道路のレーン数を示すレーン数情報が含まれており、
前記マップマッチング設定手段は、自車両が前記料金所に向かって走行中に前記所定範囲に進入した後であって、前記レーン数特定手段による前記レーン数の特定ができないときに、前記マップマッチングの有効／無効の設定を有効から無効に切り替えることを特徴とする請求項５に記載のナビゲーション装置。
【請求項７】
前記マップマッチング設定手段は、自車両が前記料金所から離れる向きに走行中に前記所定範囲から離脱した後であって、前記レーン数特定手段によって特定された前記レーン数が前記レーン数情報で示されたレーン数と一致したときに、前記マップマッチングの有効／無効の設定を無効から有効に切り替えることを特徴とする請求項５または６に記載のナビゲーション装置。
【請求項８】
前記所定範囲は、前記料金所からの距離が所定値の範囲であることを特徴とする請求項１〜７のいずれか一項に記載のナビゲーション装置。
【請求項９】
前記所定範囲は、一方端が前記料金所に一致する道路リンクに対応する範囲であることを特徴とする請求項１〜７のいずれか一項に記載のナビゲーション装置。
【発明の詳細な説明】
【技術分野】
【０００１】
本発明は、車両に搭載されて映像や音声などのデジタル放送等を受信するナビゲーション装置に関する。
【背景技術】
【０００２】
従来から、車両が有料道路の本線を走行中に、料金所の所定距離手前の地点に到達したとき、トールゲートモードを開始し、車両が料金所よりも所定距離後方の地点に到達したとき、トールゲートモードを解除するとともに、トールゲートモード対象区間を走行する際に、マップマッチングを停止させるようにしたナビゲーション装置が知られている（例えば、特許文献１参照。）。これにより、料金所近傍において、料金所の複数のゲートに合わせて道路幅が広くなった場合にマップマッチングを停止させることにより、マップマッチングをしたために却って自車位置がずれる不都合を抑制することが可能となる。
【先行技術文献】
【特許文献】
【０００３】
【特許文献１】特開２０１６−２００４８８号公報
【発明の概要】
【発明が解決しようとする課題】
【０００４】
ところで、特許文献１に開示されたナビゲーション装置では、料金所から所定距離隔たったトールゲートモード対象区間の開始位置／終了位置と、実際に料金所近傍で道路幅が広くあるいは狭くなる位置とが一致しない場合には、マップマッチングの実施あるいは停止に伴って自車位置表示が不自然になるという問題があった。
【０００５】
例えば、所定距離が長いために、実際に道路幅が広くなる位置よりも手前にトールゲートモード対象区間の開始位置が設定されていると、実際には道路上を走行しているにもかかわらず、自車位置が地図上の道路位置からずれてしまう場合がある。反対に、所定距離が短いために、実際に道路幅が広くなる位置よりも後にトールゲートモード対象区間の開始位置が設定されていると、実際には端部近傍のゲートに向かって走行しているにも関わらず、自車位置が修正されてしまう場合がある。
【０００６】
また、所定距離が長いために、実際に道路幅が狭くなる位置よりも後にトールゲートモード対象区間の終了位置が設定されていると、実際には道路上を走行しているにもかかわらず、自車位置が地図上の道路位置からずれてしまう場合がある。反対に、所定距離が短いために、実際に道路幅が狭くなる位置よりも手前にトールゲートモード対象区間の終了位置が設定されていると、実際には端部近傍のゲートから道路に向かって走行している途中にも関わらず、自車位置が修正されてしまう場合がある。
【０００７】
本発明は、このような点に鑑みて創作されたものであり、その目的は、料金所近傍を走行中に自車位置表示が不自然になることを防止することができるナビゲーション装置を提供することにある。
【課題を解決するための手段】
【０００８】
上述した課題を解決するために、本発明のナビゲーション装置は、自車位置を検出する車両位置検出手段と、自車両が走行中の道路の区画線を検出する区画線検出手段と、車両位置検出手段によって検出された自車位置が料金所を含む所定範囲内にあるときに、区画線検出手段による区画線の検出有無に基づいて、自車位置を地図データの道路リンク上に位置合わせするマップマッチングの有効／無効を設定するマップマッチング設定手段とを備えている。
【０００９】
一般に、料金所の前方には道路から次第に幅が広くなって料金所に至る領域があり、料金所の後方には料金所から道路に向けて次第に幅が狭くなる領域があり、これらの領域ではレーンを区画する区画線の検出ができない。一方、これらの領域に隣接する道路ではレーンを区画する区画線の検出が可能である。このような理由から、料金所近傍において区画線の検出結果を用いることにより、次第に幅が狭くなる領域に自車両が進入したことや、次第に幅が狭くなる領域から離脱して道路に進入したことを判定することができる。このため、これらの領域を走行中にマップマッチングを無効にし、これらの領域の前後の道路を走行中にマップマッチングを有効にすることにより、料金所近傍を走行中に自車位置表示が不自然になることを防止することができる。
【００１０】
また、上述したマップマッチング設定手段は、自車両が料金所に向かって走行中に所定範囲に進入した後であって、区画線検出手段によって区画線が検出できないときに、マップマッチングの有効／無効の設定を有効から無効に切り替えることが望ましい。これにより、道路を走行中の自車両が料金所近傍に差し掛かった際にマップマッチングを無効にして、自車位置表示が不自然になることを確実に防止することができる。
【００１１】
また、上述したマップマッチング設定手段は、自車両が料金所から離れる向きに走行中に所定範囲から離脱した後であって、区画線検出手段によって区画線が検出できたときに、マップマッチングの有効／無効の設定を無効から有効に切り替えることが望ましい。これにより、自車両が料金所近傍から離脱して道路に進入した際にマップマッチングを有効にして、自車位置表示が不自然になることを確実に防止することができる。
【００１２】
また、本発明のナビゲーション装置は、自車位置を検出する車両位置検出手段と、自車両が走行中の道路のレーン数を検出するレーン数検出手段と、車両位置検出手段によって検出された自車位置が料金所を含む所定範囲内にあるときに、レーン数検出手段によって検出されたレーン数に基づいて、自車位置を地図データの道路リンク上に位置合わせするマップマッチングの有効／無効を設定するマップマッチング設定手段とを備えている。
【００１３】
一般に、料金所の前方には道路から次第に幅が広くなって料金所に至る領域があり、料金所の後方には料金所から道路に向けて次第に幅が狭くなる領域があり、これらの領域ではレーン数の検出ができない。一方、これらの領域に隣接する道路ではレーン数の検出が可能である。このような理由から、料金所近傍においてレーン数の検出結果を用いることにより、次第に幅が狭くなる領域に自車両が進入したことや、次第に幅が狭くなる領域から離脱して道路に進入したことを判定することができる。このため、これらの領域を走行中にマップマッチングを無効にし、これらの領域の前後の道路を走行中にマップマッチングを有効にすることにより、料金所近傍を走行中に自車位置表示が不自然になることを防止することができる。
【００１４】
また、上述したレーン数検出手段は、自車両に搭載されて自車両周辺を撮像する撮像手段と、撮像手段による撮像によって得られた画像に含まれる区画線を抽出してレーン数を特定するレーン数特定手段とを有することが望ましい。料金所の前後で幅が次第に広くあるいは狭くなる領域には区画線が描かれていないため、区画線を抽出してレーン数を特定することにより、マップマッチングを無効にすることが望ましいこれらの領域を自車両が走行中であるか否かを確実に知ることができる。
【００１５】
また、上述した地図データには、自車両が走行する道路のレーン数を示すレーン数情報が含まれており、マップマッチング設定手段は、自車両が料金所に向かって走行中に所定範囲に進入した後であって、レーン数特定手段によるレーン数の特定ができないときに、マップマッチングの有効／無効の設定を有効から無効に切り替えることが望ましい。これにより、道路を走行中の自車両が料金所近傍に差し掛かった際にマップマッチングを無効にして、自車位置表示が不自然になることを確実に防止することができる。
【００１６】
また、上述したマップマッチング設定手段は、自車両が料金所から離れる向きに走行中に所定範囲から離脱した後であって、レーン数特定手段によって特定されたレーン数がレーン数情報で示されたレーン数と一致したときに、マップマッチングの有効／無効の設定を無効から有効に切り替えることが望ましい。これにより、自車両が料金所近傍から離脱して道路に進入した際にマップマッチングを有効にして、自車位置表示が不自然になることを確実に防止することができる。
【００１７】
また、上述した所定範囲は、料金所からの距離が所定値の範囲であることが望ましい。あるいは、上述した所定範囲は、一方端が料金所に一致する道路リンクに対応する範囲であることが望ましい。これにより、料金所近傍以外の範囲において、誤ってマップマッチングを無効にすることを防止することができる。
【図面の簡単な説明】
【００１８】
【図１】一実施形態のナビゲーション装置の構成を示す図である。
【図２】有料道路を料金所に向かって走行中の車両におけるナビゲーション装置の動作手順を示す流れ図である。
【図３】料金所に向かって走行する車両におけるマップマッチングの有効／無効の説明図である。
【図４】料金所から離脱する向きに走行中の車両におけるナビゲーション装置の動作手順を示す流れ図である。
【図５】料金所から離脱する向きに走行する車両におけるマップマッチングの有効／無効の説明図である。
【図６】変形例のナビゲーション装置の構成を示す図である。
【図７】有料道路を料金所に向かって走行中の車両における変形例のナビゲーション装置の動作手順を示す流れ図である。
【図８】料金所から離脱する向きに走行中の車両における変形例のナビゲーション装置の動作手順を示す流れ図である。
【発明を実施するための形態】
【００１９】
以下、本発明を適用した一実施形態のナビゲーション装置について、図面を参照しながら説明する。
【００２０】
図１は、一実施形態のナビゲーション装置の構成を示す図である。図１に示すナビゲーション装置は、ナビゲーションコントローラ１、地図データ記憶装置３、操作部４、車両位置検出部５、表示装置６、オーディオ部７、カメラ８を含んで構成されている。このナビゲーション装置は、車両に搭載されている。
【００２１】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００２２】
地図データ記憶装置３は、地図表示、施設検索、経路探索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。この地図データには、各道路の位置を示す道路データが含まれている。また、この道路データには、各道路を構成するノードやリンク（道路リンク）の各座標値や属性情報が含まれている。また、有料道路の料金所に対応するノードの属性情報には、そのノードが料金所に対応していることを示す情報が含まれる。また、各リンクの属性情報には、そのリンクに対応する道路のレーン数（例えば、一般的な高速道路の場合には「２」あるいは「３」などのレーン数を示すレーン数情報）が含まれる。なお、地図データ記憶装置３を通信装置に置き換えて、外部の地図配信サーバ（図示せず）から地図データを取得するようにしてもよい。
【００２３】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。
【００２４】
車両位置検出部５は、例えば、ＧＰＳ受信機、方位センサ、距離センサなどを備えており、所定のタイミングで車両位置（経度、緯度）の検出を行い、検出結果を出力する。
【００２５】
表示装置６は、例えばＬＣＤ（液晶表示装置）によって構成されており、ナビゲーションコントローラ１から出力される映像信号に基づいて自車位置周辺の地図画像や交差点案内画像、あるいは、施設検索によって得られた施設やその周辺駐車場が含まれる検索結果画像などを表示する。オーディオ部７は、ナビゲーションコントローラ１から入力される音声信号に基づいて生成した案内音声等を車室内に出力する。
【００２６】
カメラ８は、車両の所定位置（例えば車両前方あるいは後方）に搭載されており、自車両の周辺の道路上に描かれた区画線を撮像する。
【００２７】
次に、ナビゲーションコントローラ１の詳細構成について説明する。図１に示すナビゲーションコントローラ１は、地図バッファ１０、地図読出制御部１２、地図描画部１４、車両位置計算部２０、レーン数特定部２２、マップマッチング（ＭＭ）設定部２４、経路探索処理部３０、経路誘導処理部３２、目的地設定部３４、入力処理部５０、表示処理部６０を含んで構成されている。
【００２８】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。この地図画像には、表示画面の所定位置に対応する自車位置マークが含まれる。
【００２９】
車両位置計算部２０は、車両位置検出部５から出力される検出データに基づいて自車位置を計算するとともに、計算した自車位置が地図データの道路上にない場合には、自車位置を地図データの道路リンク上に位置合わせするために自車位置を修正するマップマッチング処理を行う。
【００３０】
レーン特定部２２は、カメラ８による撮像によって得られた画像に含まれる区画線を抽出して、自車両が走行中の道路のレーン数を特定する。マップマッチング設定部２４は、自車位置が料金所を含む所定範囲内にあるときに、レーン数特定部２２によって特定されたレーン数に基づいて、車両位置計算部２０におけるマップマッチングの有効／無効（実行／非実行）を設定する
経路探索処理部３０は、経路探索処理を行って、出発地と目的地との間を所定の探索条件にしたがって結ぶ走行経路（誘導経路）を探索する。経路誘導処理部３２は、経路探索処理部３０による経路探索処理によって得られた誘導経路を地図上に重ねて表示したり、交差点における右左折方向を示す交差点案内図を表示するための誘導経路描画データを作成するとともに、誘導経路に沿って車両を誘導するために必要な交差点案内等の音声信号を生成する。目的地設定部３４は、経路探索処理部３０によって行われる経路探索処理に用いられる目的地を設定する。
【００３１】
入力処理部５０は、操作部４から入力される各種の操作指示に対応する動作を行うための命令をナビゲーションコントローラ１内の各部に向けて出力する。
【００３２】
表示処理部６０は、地図描画部１４によって作成される地図画像描画データが入力されており、この描画データに基づいて所定範囲の地図画像を表示装置６の画面に表示する。また、誘導経路処理部３２によって設定される誘導経路や交差点案内図を示す描画データが入力されると、表示処理部６０は、この描画データを地図画像に重ねて表示装置６の画面に表示する。
【００３３】
上述した車両位置検出部５、車両位置計算部２０が車両位置検出手段に、カメラ８、レーン数特定部２２がレーン数検出手段に、カメラ８が撮像手段に、レーン数特定部２２がレーン数特定手段に、マップマッチング設定部２４がマップマッチング設定手段にそれぞれ対応する。
【００３４】
本実施形態のナビゲーション装置はこのような構成を有しており、次に、車両が料金所を通過する前後の動作について説明する。
【００３５】
図２は、有料道路を料金所に向かって走行中の車両におけるナビゲーション装置の動作手順を示す流れ図である。
【００３６】
マップマッチング設定部２４は、自車両が走行中の道路に対応するリンクについて終端ノードの属性情報を読み出し（ステップ１００）、この終端ノードが有料道路の料金所に対応しているか否かを判定する（ステップ１０２）。料金所に対応していない場合には否定判断が行われ、ステップ１００に戻って終端ノードの属性情報の読み出し動作が繰り返される。
【００３７】
また、終端ノードが料金所に対応しており、ステップ１０２の判定おいて肯定判断が行われると、次に、マップマッチング設定部２４は、その時点で車両位置計算部２０によって計算された自車位置から料金所までの距離Ｌ１を算出する（ステップ１０４）。料金所に対応するノードの属性情報からその座標値がわかるため、この座標値と自車位置の座標値とに基づいて距離Ｌ１を算出することができる。マップマッチング設定部２４は、この料金所までの距離Ｌ１が所定のしきい値Ｓ１以内か否かを判定する（ステップ１０６）。距離Ｌ１がしきい値Ｓ１よりも大きい場合（自車位置が料金所を含む所定範囲よりも離れている場合）には否定判断が行われ、ステップ１０４に戻って料金所までの距離Ｌ１の算出動作が繰り返される。
【００３８】
また、距離Ｌ１がしきい値Ｓ１以内の場合（自車位置が料金所を含む所定範囲内に進入した場合）には、ステップ１０６の判定において肯定判断が行われる。次に、レーン数特定部２２は、カメラ８による撮像によって得られた画像に含まれる区画線を抽出して、自車両が走行中の道路のレーン数を特定する（ステップ１０８）。
【００３９】
次に、マップマッチング設定部２４は、レーン数検出ができているか否か（レーン数特定部２２によってレーン数の特定に成功したか否か）を判定する（ステップ１１０）。レーン数が検出されている場合には肯定判断が行われ、ステップ１０８に戻ってレーン数の特定動作が繰り返される。
【００４０】
また、レーン数の検出ができなかった場合には、ステップ１１０の判定において否定判断が行われる。レーン数を検出できない場合とは、料金所近傍で道路幅が広がる領域（区画線が描かれていない領域）に進入した場合であり、マップマッチング設定部２４は、料金所モードを開始して、マップマッチングを無効にする（ステップ１１２）。
【００４１】
図３は、料金所に向かって走行する車両におけるマップマッチングの有効／無効の説明図である。図３（Ａ１）、図３（Ａ２）には料金所モードが開始される前の状態が、図３（Ｂ）には料金所モードが開始された後の状態が示されている。
【００４２】
図３（Ａ１）に示すように、自車位置マークＧで示される自車位置から料金所Ｔまでの距離Ｌ１が所定のしきい値Ｓ１よりも大きいため、料金所モードが開始されず、マップマッチングが有効になっている。したがって、車両位置検出部５によって検出された、あるいは、車両位置計算部２０によって計算された自車位置が、走行中の道路から外れた場合であっても、この道路に対応するリンク上に沿った位置に修正される。
【００４３】
また、図３（Ａ２）に示すように、自車位置マークＧで示される自車位置から料金所Ｔまでの距離Ｌ１が所定のしきい値Ｓ１以内であるが、自車位置マークＧで示される自車位置が料金所近傍で道路幅が広がる領域の端部位置Ｅの手前にあり、レーン数特定部２２によってレーン数の特定が可能であるため、料金所モードが開始されず、マップマッチングが有効になっている。したがって、図３（Ａ１）と同様に、車両位置検出部５によって検出された、あるいは、車両位置計算部２０によって計算された自車位置が、走行中の道路から外れた場合であっても、この道路に対応するリンク上に沿った位置に修正される。
【００４４】
これに対し、図３（Ｂ）に示すように、自車位置マークＧで示される自車位置から料金所Ｔまでの距離Ｌ１が所定のしきい値Ｓ１以内になると、料金所モードが開始され、マップマッチングが無効になる。したがって、車両位置検出部５によって検出された、あるいは、車両位置計算部２０によって計算された自車位置が、道路に対応するリンク上に沿った位置に修正されることなく、自車位置マークＧの表示位置が未修正の状態で維持される。
【００４５】
なお、図３（Ｂ）では、仮にマップマッチングが有効であって自車位置が修正された場合の自車位置マークがＧ’で示されている。また、上述したしきい値Ｓ１は、このしきい値Ｓ１に対応する範囲に、料金所近傍で道路幅が広がる領域の端部位置Ｅが確実に含まれるようにする必要がある。各地に存在する料金所毎にこのしきい値Ｓ１を設定してもよいが、すべての料金所に共通なしきい値Ｓ１を設定するようにしてもよい。
【００４６】
図４は、料金所から離脱する向きに走行中の車両におけるナビゲーション装置の動作手順を示す流れ図である。
【００４７】
料金所モードが開始された後に、マップマッチング設定部２４は、料金所からその時点で車両位置計算部２０によって計算された自車位置までの距離Ｌ２を算出する（ステップ２００）。次に、マップマッチング設定部２４は、自車位置に最も近いリンクを抽出し、このリンクに対応する属性情報からこのリンクに対応する道路のレーン数を読み出す（ステップ２０２）。また、マップマッチング設定部２４は、この自車位置までの距離Ｌ２が所定のしきい値Ｓ２を超えたか否かを判定する（ステップ２０４）。距離Ｌ２がしきい値Ｓ２を超えていない場合には否定判断が行われ、ステップ２００に戻って距離Ｌ２の算出動作が繰り返される。
【００４８】
また。距離Ｌ２がしきい値Ｓ２を超えると、ステップ２０４の判定において肯定判断が行われる。次に、レーン数特定部２２は、カメラ８による撮像によって得られた画像に含まれる区画線を抽出して、自車両が走行中の道路のレーン数を特定する（ステップ２０６）。
【００４９】
次に、マップマッチング設定部２４は、ステップ２０２で読み出した道路のレーン数とステップ２０６で特定した道路のレーン数とが一致するか否かを判定する（ステップ２０８）。料金所近傍を走行中の場合には、通過ゲート数に対応するレーン数（その先の道路のレーン数よりも多い）になったり、区画線が描かれておらずにレーン数の特定が不可能になったりするため、ステップ２０８の判定において否定判断が行われる。この場合には、ステップ２０６に戻って、走行中の道路のレーン数の特定動作が繰り返される。
【００５０】
また、レーン数が一致するとステップ２０８の判定において肯定判断が行われる。この一致する場合とは、料金所近傍の幅広の領域から抜け出して所定レーン数の道路に進入した場合であり、マップマッチング設定部２４は、マップマッチングを有効にして、料金所モードを終了する（ステップ２１０）。
【００５１】
図５は、料金所から離脱する向きに走行する車両におけるマップマッチングの有効／無効の説明図である。図５（Ａ１）、図５（Ａ２）には料金所モードが終了する前の状態が、図５（Ｂ）には料金所モードが終了した後の状態が示されている。
【００５２】
図５（Ａ１）に示すように、料金所Ｔから自車位置マークＧで示される自車位置までの距離Ｌ２が所定のしきい値Ｓ２を超えていないため、料金所モードが終了しておらず、マップマッチングが無効になっている。したがって、車両位置検出部５によって検出された、あるいは、車両位置計算部２０によって計算された自車位置が、道路に対応するリンク上に沿った位置に修正されることなく、自車位置マークＧの表示位置が未修正の状態で維持される。なお、図５（Ａ１）、図５（Ａ２）では、仮にマップマッチングが有効であって自車位置が修正された場合の自車位置マークがＧ”で示されている。
【００５３】
また、図５（Ａ２）に示すように、料金所Ｔから自車位置マークＧで示される自車位置までの距離Ｌ２が所定のしきい値Ｓ２を超えているが、自車位置マークＧで示される自車位置が料金所近傍で道路幅が狭くなる領域の端部位置Ｏの手前で、料金所近傍を走行中であり、レーン数特定部２２による自車両が走行中の道路のレーン数の特定が不可能である。したがって、図５（Ａ１）と同様に、料金所モードが終了せず、マップマッチングが無効となるため、自車位置マークＧの表示位置が未修正の状態で維持される。
【００５４】
これに対し、図５（Ｂ）に示すように、料金所Ｔから自車位置マークＧで示される自車位置までの距離Ｌ２が所定のしきい値Ｓ２を超えると、料金所モードが終了し、マップマッチングが有効になる。したがって、車両位置検出部５によって検出された、あるいは、車両位置計算部２０によって計算された自車位置が、走行中の道路から外れた場合であっても、この道路に対応するリンク上に沿った位置に修正される。
【００５５】
なお、上述したしきい値Ｓ２は、このしきい値Ｓ２に対応する範囲に、料金所近傍で道路幅が狭くなる領域の端部位置Ｏが含まれないようにする必要がある。各地に存在する料金所毎にこのしきい値Ｓ２を設定してもよいが、すべての料金所に共通なしきい値Ｓ２を設定するようにしてもよい。
【００５６】
このように、本実施形態のナビゲーション装置では、料金所近傍においてレーン数の検出結果を用いることにより、次第に幅が狭くなる領域に自車両が進入したことや、次第に幅が狭くなる領域から離脱して道路に進入したことを判定することができる。このため、これらの領域を走行中にマップマッチングを無効にし、これらの領域の前後の道路を走行中にマップマッチングを有効にすることにより、料金所近傍を走行中に自車位置表示が不自然になることを防止することができる。
【００５７】
特に、料金所の前後で幅が次第に広くあるいは狭くなる領域には区画線が描かれていないため、区画線を抽出してレーン数を特定することにより、マップマッチングを無効にすることが望ましいこれらの領域を自車両が走行中であるか否かを確実に知ることができる。
【００５８】
また、自車両が料金所に向かって走行中に所定範囲（自車位置から料金所までの距離Ｌ１がしきい値Ｓ１以内）に進入した後であってレーン数の特定ができないときに、料金所モードを開始してマップマッチングの設定を有効から無効に切り替えている。これにより、道路を走行中の自車両が料金所近傍に差し掛かった際にマップマッチングを無効にして、自車位置表示が不自然になることを確実に防止することができる。
【００５９】
また、自車両が料金所から離れる向きに走行中に所定範囲（料金所から自車位置までの距離Ｌ２がしきい値Ｓ２を超えた範囲）から離脱した後であって特定されたレーン数が地図データで示されたレーン数と一致したときに、料金所モードを終了してマップマッチングの設定を無効から有効に切り替えている。これにより、自車両が料金所近傍から離脱して道路に進入した際にマップマッチングを有効にして、自車位置表示が不自然になることを確実に防止することができる。
【００６０】
なお、本発明は上記実施形態に限定されるものではなく、本発明の要旨の範囲内において種々の変形実施が可能である。例えば、上述した実施形態では、料金所モードを開始する条件として、（１）自車位置から料金所までの距離Ｌ１がしきい値Ｓ１以内、（２）レーン数検出ができていない、の２つとしたが、（１）の条件の代わりに、（１’）一方端のノードが料金所に対応している道路リンクを走行中の場合、としてもよい。
【００６１】
同様に、料金所モードを終了する条件として、（３）料金所から自車位置までの距離Ｌ２がしきい値Ｓ２を超えている、（４）カメラ８を用いて特定したレーン数が地図データで示されるレーン数と一致する、の２つとしたが、（３）の条件の代わりに、（３’）一方端のノードが料金所に対応している道路リンクを離脱して次の道路リンクに進入した場合、としてもよい。
【００６２】
また、上述した実施形態では、レーン数検出の有無とマップマッチングの有効／無効の設定とを関連付けたが、「レーン数検出の有無」の代わりに「道路の区画線検出の有無」を用いるようにしてもよい。
【００６３】
図６は、変形例のナビゲーション装置の構成を示す図である。図６に示した構成は、図１に示した構成に対して、ナビゲーションコントローラ１をナビゲーションコントローラ１Ａに置き換えた点が異なっている。このナビゲーションコントローラ１Ａは、図１に示したナビゲーションコントローラ１に対して、レーン数特定部２２を区画線検出部２２Ａに、マップマッチング設定部２４をマップマッチング設定部２４Ａに置き換えた点が異なっている。カメラ８、区画線検出部２２Ａが区画線検出手段に、マップマッチング設定部２４Ａがマップマッチング設定手段にそれぞれ対応する。その他の構成については基本的に共通しており、以下では、これらの置き換えられた構成に着目して説明を行うものとする。
【００６４】
区画線検出部２２Ａは、カメラ８による撮像によって得られた画像に含まれる道路の区画線を抽出することにより、区画線を検出する。マップマッチング設定部２４Ａは、自車位置が料金所を含む所定範囲内にあるときに、区画線検出部２２Ａによる検出結果（区画線の検出有無）に基づいて、車両位置計算部２０におけるマップマッチングの有効／無効（実行／非実行）を設定する。
【００６５】
図７は、有料道路を料金所に向かって走行中の車両における変形例のナビゲーション装置の動作手順を示す流れ図である。図７に示した動作手順は、図２に示した動作手順に対して、ステップ１０８の動作をステップ１０８Ａの動作に、ステップ１１０の動作をステップ１１０Ａの動作に置き換えたものである。
【００６６】
距離Ｌ１がしきい値Ｓ１以内の場合（自車位置が料金所を含む所定範囲内に進入した場合）であってステップ１０６の判定において肯定判断が行われると、次に、区画線検出部２２Ａは、カメラ８による撮像によって得られた画像に含まれる区画線を抽出することによって道路の区画線を検出する（ステップ１０８Ａ）。
【００６７】
次に、マップマッチング設定部２４Ａは、区画線検出ができているか否か（道路の区画線が抽出できたか否か）を判定する（ステップ１１０Ａ）。区画線検出ができている場合には肯定判断が行われ、ステップ１０８Ａに戻って区画線の検出動作が繰り返される。
【００６８】
また、区画線検出ができなかった場合には、ステップ１１０Ａの判定において否定判断が行われる。区画線が検出できない場合とは、料金所近傍で道路幅が広がる領域（区画線が描かれていない領域）に進入した場合であり、マップマッチング設定部２４Ａは、料金所モードを開始して、マップマッチングを無効にする（ステップ１１２）。
【００６９】
図８は、料金所から離脱する向きに走行中の車両における変形例のナビゲーション装置の動作手順を示す流れ図である。図８に示した動作手順は、図４に示した動作手順に対して、ステップ２０２の動作を削除するとともに、ステップ２０６の動作をステップ２０６Ａの動作に、ステップ２０８の動作をステップ２０８Ａの動作に置き換えたものである。
【００７０】
料金所モードが開始された後に、マップマッチング設定部２４Ａは、料金所からその時点で車両位置計算部２０によって計算された自車位置までの距離Ｌ２を算出する（ステップ２００）。また、マップマッチング設定部２４Ａは、この自車位置までの距離Ｌ２が所定のしきい値Ｓ２を超えたか否かを判定する（ステップ２０４）。距離Ｌ２がしきい値Ｓ２を超えていない場合には否定判断が行われ、ステップ２００に戻って距離Ｌ２の算出動作が繰り返される。
【００７１】
また。距離Ｌ２がしきい値Ｓ２を超えると、ステップ２０４の判定において肯定判断が行われる。次に、区画線検出部２２Ａは、カメラ８による撮像によって得られた画像に含まれる区画線を抽出することによって道路の区画線を検出する（ステップ２０６Ａ）。
【００７２】
次に、マップマッチング設定部２４Ａは、区画線検出ができているか否か（道路の区画線が抽出できたか否か）を判定する（ステップ２０８Ａ）。料金所近傍から次第に道路幅が狭くなる領域には区画線が描かれておらず、この領域を走行中はステップ２０８Ａの判定において否定判断が行われる。この場合には、ステップ２０６Ａに戻って区画線の検出動作が繰り返される。
【００７３】
また、区画数の検出ができるようになるとステップ２０８Ａの判定において肯定判断が行われる。次に、マップマッチング設定部２４Ａは、マップマッチングを有効にして、料金所モードを終了する（ステップ２１０）。
【００７４】
一般に、料金所の前方には道路から次第に幅が広くなって料金所に至る領域があり、料金所の後方には料金所から道路に向けて次第に幅が狭くなる領域があり、これらの領域ではレーンを区画する区画線の検出ができない。一方、これらの領域に隣接する道路ではレーンを区画する区画線の検出が可能である。このような理由から、料金所近傍において区画線の検出結果を用いることにより、次第に幅が狭くなる領域に自車両が進入したことや、次第に幅が狭くなる領域から離脱して道路に進入したことを判定することができる。このため、これらの領域を走行中にマップマッチングを無効にし、これらの領域の前後の道路を走行中にマップマッチングを有効にすることにより、料金所近傍を走行中に自車位置表示が不自然になることを防止することができる。
【産業上の利用可能性】
【００７５】
上述したように、本発明によれば、料金所近傍においてレーン数の検出結果を用いることにより、次第に幅が狭くなる領域に自車両が進入したことや、次第に幅が狭くなる領域から離脱して道路に進入したことを判定することができるため、これらの領域を走行中にマップマッチングを無効にし、これらの領域の前後の道路を走行中にマップマッチングを有効にすることにより、料金所近傍を走行中に自車位置表示が不自然になることを防止することができる。
【符号の説明】
【００７６】
１、１Ａ  ナビゲーションコントローラ
３  地図データ記憶装置
４  操作部
５  車両位置検出部
６  表示装置
７  オーディオ部
８  カメラ
１０  地図バッファ
１２  地図読出制御部
１４  地図描画部
２０  車両位置計算部
２２  レーン数特定部
２２Ａ  区画数検出部
２４、２４Ａ  マップマッチング（ＭＭ）設定部
５０  入力処理部
６０  表示処理部
【図１】
2019045406.tif 000003
【図２】
2019045406.tif 000004
【図３】
2019045406.tif 000005
【図４】
2019045406.tif 000006
【図５】
2019045406.tif 000007
【図６】
2019045406.tif 000008
【図７】
2019045406.tif 000009
【図８】
2019045406.tif 000010